(57)【要約】      （修正有）【課題】パチンコ遊技機の規定を遵守した状態で、遊技場内で電力線通信を行うためのネットワークシステムを提供する。【解決手段】パチンコ遊技機１６へデータが送信されてもデータを復調する機能を持たず、データを解読することができない電力線通信モデム１１を、ホールコンピューター３４に接続し、ネットワークシステムを構築することで、規定を遵守した状態で遊技場内での電力線通信を行う。【選択図】図１
0003141409.tif 000002
【実用新案登録請求の範囲】
【請求項１】
パチンコ遊技機の遊技に関するデータを、電力線通信（ＰＬＣ）を介して遊技場全体の遊技機の情報を処理するホールコンピューターに送信するための電力線通信モデムを利用した遊技場の通信ネットワークシステムであって、
パチンコ遊技機及び回胴式遊技機に電力線通信モデムを接続し、ネットワークを利用する場合。
【請求項２】
パチンコ遊技機の遊技に関するデータを、電力線通信（ＰＬＣ）を介して遊技場全体の遊技機の情報を処理するホールコンピューターに送信するための電力線通信モデムを利用した遊技場の通信ネットワークシステムであって、
パチンコ遊技機及び回胴式遊技機に電力線通信モデムを内蔵した台ユニットを接続し、ネットワークを利用する場合。
【請求項３】
パチンコ遊技機の遊技に関するデータを、電力線通信（ＰＬＣ）を介して遊技場全体の遊技機の情報を処理するホールコンピューターに送信するための電力線通信モデムを利用した遊技場の通信ネットワークシステムであって、
パチンコ遊技機及び回胴式遊技機に電力線通信モデムを内蔵した玉貸出機及びコイン貸出機を接続し、ネットワークを利用する場合。
【請求項４】
パチンコ遊技機の遊技に関するデータを、電力線通信（ＰＬＣ）を介して遊技場全体の遊技機の情報を処理するホールコンピューターに送信するための電力線通信モデムを利用した遊技場の通信ネットワークシステムであって、
電力線通信モデムを内蔵したパチンコ遊技機及び回胴式遊技機、電力線通信モデムを内蔵した玉貸出機及びコイン貸出機を接続し、ネットワークを利用する場合。
【考案の詳細な説明】
【技術分野】
【０００１】  本考案は、電力線通信を遊技場において使用する通信ネットワークシステムに関するものである。
【背景技術】
【０００２】  従来のパチンコ遊技機と遊技場全体の遊技機のデータを管理するホールコンピューターの通信は、ＬＡＮケーブルで接続されている。
電力線通信（ＰＬＣ）は、電力を供給するために配設されている電力線を利用して情報を伝送するものであり、通信速度が高速で、しかも通信線路を新たに敷設する必要がなく設備投資を抑える事が可能であるため、近年、インターネットアクセス用や家庭内のホームネットワークを構築するための通信手段として注目されている。
現在ＬＡＮケーブルで構築している遊技場のネットワークシステムでは、統一規格が存在せず、ネットワークシステムとホールコンピューターとの規格がメーカーにより異なる。そのため、通常はホールコンピューターのメーカーとネットワ−クシステムのメーカーを同一にする必要がある。
パチンコ遊技機とホールコンピューターの通信に電力線通信を利用するためには、新たに通信線を敷設する必要はないが、電力線通信モデムを用意する必要がある。パチンコ遊技機は、規定により、遊技データの受信は認められず、送信のみ認められるため、通信が一方通行となっている必要がある。パチンコ遊技機とホールコンピューターの通信に電力線通信を利用するために、従来の電力線通信装置モデムを利用すると、全ての電力線の中をアナログデータが通過してしまい、パチンコ遊技機がデータを受信する状態になってしまう。
【考案の開示】
【考案が解決しようとする課題】
【０００３】  そこで、本考案は、このようなパチンコ遊技機の規定を遵守した状態で、遊技場内で電力線通信を行うため、パチンコ遊技機へあらゆるデータが送信されないような電力線通信ネットワークシステムを提供することを課題とする。
【課題を解決するための手段】
【０００４】  遊技データ等を送信するために電力線通信に適したアナログ信号に変調する機能はあるが、受信したデータをデジタル信号へ復調する機能を持たない電力線通信モデムをパチンコ遊技機及び回胴式遊技機に接続する。この電力線通信モデムを使用すれば、パチンコ遊技機及び回胴式遊技機はデータを受信することができずなくなる。
さらに、遊技データ等を送信するために電力線通信に適したアナログ信号に変調する機能がなく、受信したデータをデジタル信号へ復調する機能しか持たない電力線通信モデムをホールコンピューターに接続する。デジタル信号は電力線の中を伝わることはできないので、この電力線通信モデムを使用すれば、ホールコンピューター側からパチンコ遊技機へデータを送信することができず、データの流れはパチンコ遊技機及び回胴式遊技機からホールコンピューターへの一方通行となる。
【考案の効果】
【０００５】  本考案の電力線通信ネットワークを用いて遊技場で電力線通信を利用した場合、従来のようにＬＡＮケーブルで接続するのと同等の通信速度が確保でき、また電源コード以外の配線が不要になるため、パチンコホール内の配線が簡素化され、遊技場に通信設備を設置する際の費用を抑えることができる。また、配線が簡素化、統一化され、不正行為に対する検査や保守等が簡易に出来るようになる。
さらに、ネットワークシステムとホールコンピューターとの規格が統一でき、専用のホールコンピューターを用意しなくても、データ管理用のソフトをインストールするだけで、市販のパソコンが使用できる。遊技場のデータを管理するコンピューターソフトの規格も統一できる。
パチンコ遊技機などに接続した電力線通信モデムとホールコンピューターに接続した電力線通信モデムの働きにより、パチンコ遊技機及び回胴式遊技機からのデータは送信できるが、パチンコ遊技機及び回胴式遊技機にはデータを送信できないため、規格を遵守した状態で遊技場内での電力線通信が可能となる。【０００６】  本考案の電力線通信ネットワークシステムを使用すると、ホールコンピューターから情報を発信しても、パチンコ遊技機及び回胴式遊技機までデータが伝わらないため、ホールコンピューターによるパチンコ遊技機の不正操作を防ぐことができる。
また、遊技場の電力線に不正な操作を行った場合やネットワークシステムに無線等で正な操作を行った場合も、パチンコ遊技機及び回胴式遊技機までデータが伝わらないため、パチンコ遊技機及び回胴式遊技機の不正操作や誤作動を防ぐことができる。
【考案を実施するための最良の形態】
【０００７】  図１は、遊技場での本考案に係る電力線通信ネットワークの実施例のうち、パチンコ遊技機及び回胴式遊技機に電力線通信モデムを接続する場合が示されている。
図１に示されるように、回胴式遊技機１２は、情報線１７ａにより呼び出しランプ１３と接続され、呼び出しランプ１３は情報線１７ｂにより台ユニット１４と接続される。台ユニット１４は、情報線１８により、コイン貸出機１５と接続され、コイン貸出機１５の電源コード２０は電力線２２と接続され、コイン貸出機１５及び台ユニット１４に電力を供給する。
パチンコ遊技機１６は、情報線２７ａにより呼び出しランプ２４と接続され、呼び出しランプ２４は情報線２７ｂにより台ユニット２５と接続される。台ユニット２５は、情報線２９により、玉貸出機２６と接続され、玉貸出機２６の電源コード３１は電力線２２と接続され、玉貸出機２６及び台ユニット２５に電力を供給する。
電力線通信モデム１１と台ユニット１４は、情報線１９により接続される。また、電力線通信モデム１１と台ユニット２５は、情報線２８により接続される。【０００８】  呼び出しランプは、遊技中にパチンコ遊技機や玉貸出機などのトラブルがあったときに、店員を呼び出すためのものである。お客が呼び出しランプにあるボタンを押してランプを点灯させ、店員に知らせる。現在は呼び出しランプには、大当たり回数・前回大当たりからの回転数・その日の回転数・過去２〜３日の大当たり履歴等の遊技データをお客が見られるようにする機能もついている。【０００９】  回胴式遊技機１２の遊技データは、情報線１７ａを通じて呼び出しランプ１３に送られ、呼び出しランプ１３は簡単な遊技情報を表示する。また、遊技データは、呼び出しランプ１３から情報線１７ｂを通じて台ユニット１４に送られる。
パチンコ遊技機１６遊技データは、情報線２７ａを通じて呼び出しランプ２４に送られ、呼び出しランプ２４は簡単な遊技情報を表示する。また、遊技データは、呼び出しランプ２４から情報線２７ｂを通じて台ユニット２５に送られる。
コイン貸出機１５の売上データは、情報線１８を通じて台ユニット１４に送られる。玉貸出機２６の売上データは、情報線２９を通じて台ユニット２５に送られる。
台ユニット１４と台ユニット２５に送られてきた遊技データと売上データは、情報線１８及び情報線２８を通じて電力線通信モデム１１に送られる。【００１０】  台ユニットは、パチンコ遊技機及び回胴式遊技機から発信される、大当たり、払い出し、打ち出し、小当たり等の信号や、玉貸出機及びコイン貸出機から送られる売上信号を処理する。パチンコ遊技機や玉貸出機及びコイン貸出機から情報線を伝わり台ユニットへ電流が流れると、台ユニットは流れてきた電流の長さと回数を計測しデジタルデータに変換する。【００１１】  台ユニットは、パチンコ遊技機等からの接点出力によるパルス信号を、フォトカプラと呼ばれる電子部品により受信する。フォトカプラには１次側（入力）と２次側（出力）ある。１次側はＬＥＤやランプなど電気信号を光に変える素子が入っている。２次側にはフォトトランジスタやＣｂｓなど、光を電気信号に変換する素子が入っている。１次側のＬＥＤが光ると２次側のフォトトランジスタがＯＮしてスイッチの代わりになる。光を媒体とすることで電気的には絶縁しているため、信号がパチンコ遊技機等から台ユニットへの一方通行しか伝わらない仕組みになっている。フォトカプラにより入力されたパルス信号は、情報線へ出力される。【００１２】  回胴式遊技機１２の電源コード２３とパチンコ遊技機１６の電源コード３６は、直接電力線２２に接続しないで、電力線通信モデム１１の側面に設置された、コネクターへ接続する。すなわち、回胴式遊技機１２の電源コード２３は電力線通信モデム１１に接続され、電力線通信モデム１１の電源コード２１は、電力線２２へ接続される。パチンコ遊技機１６の電源コード３６は電力線通信モデム１１に接続され、電力線通信モデム１１の電源コード３０は、電力線２２へ接続される。
電力線通信モデム１１の内部には、データカットフィルターが設置されている。このデータカットフィルターを経由することにより、回胴式遊技機１２及びパチンコ遊技機１６にデータが送信できなくなる。【００１３】  データカットフィルターは、電力線通信モデム１１から、回胴式遊技機１２及びパチンコ遊技機１６に送信するデータを打ち消す機能を持つ。
データカットフィルターは一般的にフィルタ回路と呼ばれるものである。すなわち、抵抗、コンデンサ、コイル等をそなえ、入力された電気信号に帯域制限をかけたり、特定の周波数成分を取り出したりすることが出来る。電力線通信モデム１１内部に設置されたデータカットフィルターは、電源の周波数である５０Ｈｚおよび６０Ｈｚ以外に制限をかけ、実質的に重畳させずに負荷に供給させることで、回胴式遊技機１２及びパチンコ遊技機１６へ電力は供給されるがデータは伝わらないようにする。【００１４】  遊技データと売上データは、電力線通信モデム１１により、信号をアナログのＰＬＣ信号に変調され、電源コード２１及び電源コード３０を通じて、電力線２２へ送信される。
電力線２２に送られたアナログデータは、電力線通信モデム３３の電源コード３５を通じ、電力線通信モデム３３に伝送される。ホールコンピューター３４へ接続した電力線通信モデム３３はアナログデータを抽出し、デジタルデータへと復調する。電力線通信モデム３３は、復調したデータを情報線３２を通じホールコンピューター３４へ送信し、ホールコンピューター３４は情報を受信し処理する。【００１５】  ホールコンピューターは、遊技場に設置してあるそれぞれの台ユニットから、打ち出した玉数や機械が払い出した玉数、スタート回数、大当たりなどデータをすべて集約し、売上、粗利、玉単価などの集計を行う。売上と粗利は、店全体はもちろん各パチンコ遊技機ごと、島ごと、など個別にも計算し、遊技場の経営に重要な数値の集計を行う。【００１６】  電力線通信モデム３３には、通常の電力線通信モデムにはある変調を行う機能が設置されていない。デジタルデータを電力線通信に適したアナログデータへ変調を行う機能がないため、パチンコ遊技機１６及び回胴式遊技機１２へはデータを送信することができない。【００１７】  図２は、遊技場での従来のネットワークシステムの実施例が示されている。もちろん、ＬＡＮネットワークを使用しても、データの送受信は行うことができる。
従来ネットワークシステムでは、情報線４１が、遊技場内のすべてのパチンコ遊技機及び回胴式遊技機の台ユニットと接続している。そのため、配線が大変複雑であることは、図１と比較すると明らかである。【００１８】  回胴式遊技機１２は、情報線４２ａにより呼び出しランプ１３と接続され、呼び出しランプ１３は、情報線４２ｂにより台ユニット１４と接続される。コイン貸出機１５は、情報線４３により台ユニット１４と接続される。台ユニット１４は、情報線４１により、ホールコンピューターと接続される。
パチンコ遊技機１６は、情報線４５により呼び出しランプ２４と接続され、呼び出しランプ２４は、情報線４４により台ユニット２５と接続される。玉貸出機２６は、情報線４６により台ユニット２５と接続される。台ユニット２５は、情報線４１により、ホールコンピューターと接続される。
遊技データは、パチンコ遊技機１６及び回胴式遊技機１２より信号が発信され、その情報を台ユニットが計測し、情報線４１を通じ、情報をホールコンピューター４７へ送信する。売上データは、コイン貸出機１５及び玉貸出機２６より信号が発信され、その情報を台ユニットが計測し、情報線４１を通じ、情報をホールコンピューター４７へ送信する。ホールコンピューター４７は、受け取った情報を処理する。【００１９】  回胴式遊技機１２の電源コード２３及びパチンコ遊技機１６の電源コード３６は、電力線２２に接続し、回胴式遊技機１２およびパチンコ遊技機１６に電力を供給する。図２の場合は、回胴式遊技機１２及びパチンコ遊技機１６には遊技データを送信する機能しかないため、データは送信されるだけで受信はできない。また、この場合電力線２２の中にはデータは存在しないので、電源コード２３及び電源コード３６よりデータを受信することはない。【００２０】  図３は、電力線通信モデム機能を内蔵した台ユニットを利用した場合のネットワーク（請求項２）を示したものである。図１では、回胴式遊技機１２及びパチンコ遊技機１６の電源コードと電力線２２の間に電力線通信モデム１１を接続していたが、図３では、電力線通信モデムの機能が台ユニット４８及び台ユニット４９に内蔵されているため、電力線通信モデム１１を接続する必要はない。回胴式遊技機１２の電源コード２３は、台ユニット４８に接続し、台ユニット４８の電源コード５０は電力線２２に接続し、台ユニット４８に電力を供給する。パチンコ遊技機１６の電源コード３６は、台ユニット４９に接続し、台ユニット４９の電源コード５１は、電力線２２に接続し、台ユニット４９に電力を供給する。【００２１】  回胴式遊技機１２は、情報線１７ａにより呼び出しランプ１３と接続され、呼び出しランプ１３は情報線１７ｂにより台ユニット４８と接続される。台ユニット４８は、情報線１８により、コイン貸出機１５と接続され、コイン貸出機１５の電源コード２０は電力線２２と接続され、コイン貸出機１５に電力を供給する。
パチンコ遊技機１６は、情報線２７ａにより呼び出しランプ２４と接続され、呼び出しランプ２４は情報線２７ｂにより台ユニット４９と接続される。台ユニット４９は、情報線２９により、玉貸出機２６と接続され、玉貸出機２６の電源コード３１は電力線２２と接続され、玉貸出機２６に電力を供給する。
回胴式遊技機１２の遊技データは、情報線１７ａを通じて呼び出しランプ１３に送られ、呼び出しランプ１３は簡単な遊技情報を表示する。また、遊技データは、呼び出しランプ１３から情報線１７ｂを通じて台ユニット４８に送られる。
パチンコ遊技機１６遊技データは、情報線２７ａを通じて呼び出しランプ２４に送られ、呼び出しランプ２４は簡単な遊技情報を表示する。また、遊技データは、呼び出しランプ２４から情報線２７ｂを通じて台ユニット４９に送られる。
コイン貸出機１５の売上データは、情報線１８を通じて台ユニット４８に送られる。玉貸出機２６の売上データは、情報線２９を通じて台ユニット４９に送られる。【００２２】  台ユニット４８及び台ユニット４９の内部にある電力線通信モデム部分には、データカットフィルターが設置されている。このデータカットフィルターを経由することにより、ホールコンピューターにはデータを送信することができるが、回胴式遊技機１２及びパチンコ遊技機１６にはデータが送信できなくなる。【００２３】  遊技データと売上データは、台ユニット４８及び台ユニット４９に内蔵された電力線通信モデムにより、信号をアナログのＰＬＣ信号に変調され、電源コード５０及び電源コード５１を通じて、電力線２２へ送信される。
台ユニット４８及び台ユニット４９から電力線２２に送られたアナログデータは、ホールコンピューター３４へ接続した電力線通信モデム３３により抽出され、デジタルデータへと復調される。電力線通信モデム３３は、復調されたデータを、情報線３２を通じてホールコンピューター３４へ送信し、ホールコンピューター３４は情報を受信し処理する。【００２４】  図４は、電力線通信モデム機能と台ユニットの機能を内蔵した玉貸出機及びコイン貸出機を利用した場合のネットワーク（請求項３）を示したものである。図１では、パチンコ遊技機１６及び回胴式遊技機１２の電源コードと電力線２２の間に電力線通信モデム１１を接続していたが、図３では、電力線通信モデムの機能が玉貸出機５３及びコイン貸出機５２に内蔵されているため、電力線通信モデム１１を接続する必要はない。回胴式遊技機１２の電源コード２３は、コイン貸出機５２に接続し、コイン貸出機５２の電源コード２０は電力線２２に接続し、コイン貸出機５２に電力を供給する。パチンコ遊技機１６の電源コード３６は、玉貸出機５３に接続し、玉貸出機５３の電源コード３１は、電力線２２に接続し、玉貸出機５３に電力を供給する。【００２５】  回胴式遊技機１２は、情報線１７ａにより呼び出しランプ１３と接続され、呼び出しランプ１３は情報線５４によりコイン貸出機５２と接続される。
パチンコ遊技機１６は、情報線２７ａにより呼び出しランプ２４と接続され、呼び出しランプ２４は情報線５５により玉貸出機５３と接続される。【００２６】  コイン貸出機５２及び玉貸出機５３の内部にある電力線通信モデム部分には、データカットフィルターが設置されている。このデータカットフィルターを経由することにより、ホールコンピューターにはデータを送信することができるが、回胴式遊技機１２及びパチンコ遊技機１６にはデータが送信できなくなる。【００２７】  回胴式遊技機１２の遊技データは情報線５４によりコイン貸出機５２に内蔵された台ユニット部分へ送信される。コイン貸出機５２の売上データは、台ユニット部分へ送信され、コイン貸出機５２は、内蔵された電力線通信モデム機能により、遊技データと売上データの情報信号をアナログデータに変調し、電源コード２０を通じ、電力線２２へ送信する。
パチンコ遊技機１６の遊技データは情報線５５により玉貸出機５３に内蔵された台ユニット部分へ送信される。玉貸出機５３の売上データは、台ユニット部分へ送信され、玉貸出機５３は、内蔵された電力線通信モデム機能により、遊技データと売上データの情報信号をアナログデータに変調し、電源コード３１を通じ、電力線２２へ送信する。
コイン貸出機５２及び玉貸出機５３から電力線２２に送られたアナログデータは、ホールコンピューター３４へ接続した電力線通信モデム３３により抽出され、デジタルデータへと復調される。電力線通信モデム３３は、復調されたデータを情報線３２を通じてホールコンピューター３４へ送信し、ホールコンピューター３４は情報を受信し処理する。【００２８】  図５は、電力線通信モデム機能を内蔵した回胴式遊技機及びパチンコ遊技機と、電力線通信モデム機能と台ユニットの機能を内蔵した玉貸出機及びコイン貸出機を利用した場合のネットワーク（請求項４）を示したものである。図１では、パチンコ遊技機１６及び回胴式遊技機１２の電源コードと電力線２２の間に電力線通信モデム１１を接続していたが、図４では、電力線通信モデムの機能が回胴式遊技機５６、パチンコ遊技機５７、玉貸出機５３及びコイン貸出機５２に内蔵されているため、電力線通信モデム１１を接続する必要はない。
回胴式遊技機５６の電源コード５８は電力線２２に接続し、回胴式遊技機５６に電力を供給する。コイン貸出機５２の電源コード２０は電力線２２に接続し、コイン貸出機５２に電力を供給する。パチンコ遊技機５７の電源コード３６は、電力線２２に接続し、パチンコ遊技機５７に電力を供給する。玉貸出機５３の電源コード３１は電力線２２に接続し、玉貸出機５３に電力を供給する。【００２９】  回胴式遊技機５６は、情報線６０により呼び出しランプ１３と接続される。パチンコ遊技機５７は、情報線６１により呼び出しランプ２４と接続される。
回胴式遊技機５６、パチンコ遊技機５７、コイン貸出機５２及び玉貸出機５３の内部にある電力線通信モデム部分には、データカットフィルターが設置されている。このデータカットフィルターを経由することにより、ホールコンピューターにはデータを送信することができるが、回胴式遊技機５６及びパチンコ遊技機５７にはデータが送信できなくなる。【００３０】  回胴式遊技機５６の遊技データは内蔵された電力線通信モデム機能により、信号をアナログデータに変調し、電源コード５８を通じ、電力線２２へ送信し、コイン貸出機５２に内蔵された台ユニット部分へ伝送される。コイン貸出機５２の売上データは、台ユニット部分へ送信され、コイン貸出機５２は、内蔵された電力線通信モデム機能により、信号をアナログデータに変調し、電源コード２０を通じ、電力線２２へ送信する。
パチンコ遊技機５７の遊技データは内蔵された電力線通信モデム機能により、信号をアナログデータに変調し、電源コード５９を通じ電力線２２へ送信し、玉貸出機５３に内蔵された台ユニット部分へ伝送される。玉貸出機５３の売上データは、台ユニット部分へ送信され、玉貸出機５３は、内蔵された電力線通信モデム機能により、信号をアナログデータに変調し、電源コード３１を通じ電力線２２へ送信する。
回胴式遊技機５６、パチンコ遊技機５７、コイン貸出機５２及び玉貸出機５３から電源コードを通じ電力線２２に送られたアナログデータは、ホールコンピューター３４へ接続した電力線通信モデム３３により抽出され、デジタルデータへと復調される。電力線通信モデム３３は、復調されたデータを、情報線３２を通じてホールコンピューター３４へ送信し、ホールコンピューター３４は情報を受信し処理する。
【図面の簡単な説明】
【００３１】
【図１】  実施例の電力線通信ネットワークシステムの図
【図２】  従来のネットワークシステムの図
【図３】  実施例の電力線通信ネットワークシステムの図（請求項２）
【図４】  実施例の電力線通信ネットワークシステムの図（請求項３）
【図５】  実施例の電力線通信ネットワークシステムの図（請求項４）
【符号の説明】
【００３２】１１  電力線通信モデム
１２  回胴式遊技機
１３  呼び出しランプ
１４  台ユニット
１５  コイン貸出機
１６  パチンコ遊技機
１７ａ  情報線
１７ｂ  情報線
１８  情報線
１９  情報線
２０  コイン貸出機の電源コード
２１  電力線通信モデムの電源コード
２２  電力線
２３  回胴式遊技機の電源コード
２４  呼び出しランプ
２５  台ユニット
２６  玉貸出機
２７ａ  情報線
２７ｂ  情報線
２８  情報線
２９  情報線
３０  電力線通信モデムの電源コード
３１  玉貸出機の電源コード
３２  情報線
３３  電力線通信モデム
３４  ホールコンピューター
３５  情報線
３６  パチンコ遊技機の電源コード
４１  情報線
４２ａ  情報線
４２ｂ  情報線
４３  情報線
４４  情報線
４５  情報線
４６  情報線
４７  ホールコンピューター
４８  電力線通信モデム内臓台ユニット
４９  台ユニット
５０  台ユニットの電源コード
５１  台ユニットの電源コード
５２  電力線通信モデム内臓コイン貸出機
５３  電力線通信モデム内臓玉貸出機
５４  情報線
５５  情報線
５６  電力線通信モデム内臓回胴式遊技機
５７  電力線通信モデム内臓パチンコ遊技機
５８  電力線通信モデム内臓回胴式遊技機の電源コード
５９  電力線通信モデム内臓パチンコ遊技機の電源コード
６０  情報線
６１  情報線
【図１】
0003141409.tif 000003
【図２】
0003141409.tif 000004
【図３】
0003141409.tif 000005
【図４】
0003141409.tif 000006
【図５】
0003141409.tif 000007
【手続補正書】
【提出日】平成19年10月5日(2007.10.5)
【手続補正１】
【補正対象書類名】実用新案登録請求の範囲
【補正対象項目名】請求項１
【補正方法】変更
【補正の内容】
【請求項１】
パチンコ遊技機の遊技に関するデータを、電力線通信（ＰＬＣ）を介して遊技場全体の遊技機の情報を処理するホールコンピューターに送信するために、パチンコ遊技機及び回胴式遊技機に、電力線通信モデムを接続し、利用するネットワークシステム。
【手続補正２】
【補正対象書類名】実用新案登録請求の範囲
【補正対象項目名】請求項２
【補正方法】変更
【補正の内容】
【請求項２】
パチンコ遊技機の遊技に関するデータを、電力線通信（ＰＬＣ）を介して遊技場全体の遊技機の情報を処理するホールコンピューターに送信するために、パチンコ遊技機及び回胴式遊技機に電力線通信モデムを内蔵した台ユニットを接続し、利用する遊技場の通信ネットワークシステム。
【手続補正３】
【補正対象書類名】実用新案登録請求の範囲
【補正対象項目名】請求項３
【補正方法】変更
【補正の内容】
【請求項３】
パチンコ遊技機の遊技に関するデータを、電力線通信（ＰＬＣ）を介して遊技場全体の遊技機の情報を処理するホールコンピューターに送信するために、パチンコ遊技機及び回胴式遊技機に電力線通信モデムを内蔵した玉貸出機及びコイン貸出機を接続し、利用する遊技場の通信ネットワークシステム。
【手続補正４】
【補正対象書類名】実用新案登録請求の範囲
【補正対象項目名】請求項４
【補正方法】変更
【補正の内容】
【請求項４】
パチンコ遊技機の遊技に関するデータを、電力線通信（ＰＬＣ）を介して遊技場全体の遊技機の情報を処理するホールコンピューターに送信するために、電力線通信モデムを内蔵したパチンコ遊技機及び回胴式遊技機、電力線通信モデムを内蔵した玉貸出機及びコイン貸出機を接続し、利用する遊技場の通信ネットワークシステム。
【手続補正書】
【提出日】平成20年2月4日(2008.2.4)
【手続補正１】
【補正対象書類名】実用新案登録請求の範囲
【補正対象項目名】請求項１
【補正方法】変更
【補正の内容】
【請求項１】
ホールコンピューターと電力線との間に接続された電力線通信モデムと、複数の各遊技機と電力線との間に設けられた電力線通信モデムとを備え、各遊技機の遊技状態に関するデータをホールコンピューターで収集し処理するネットワークシステム。
【手続補正２】
【補正対象書類名】実用新案登録請求の範囲
【補正対象項目名】請求項２
【補正方法】変更
【補正の内容】
【請求項２】
ホールコンピューターと電力線との間に接続された電力線通信モデムと、複数の各遊技機と電力線との間に接続された電力線通信モデム機能を内蔵した台ユニットとを備え、各遊技機の遊技状態に関するデータをホールコンピューターで収集し処理するネットワークシステム。
【手続補正３】
【補正対象書類名】実用新案登録請求の範囲
【補正対象項目名】請求項３
【補正方法】変更
【補正の内容】
【請求項３】
ホールコンピューターと電力線との間に接続された電力線通信モデムと、複数の各遊技機と電力線との間に接続された電力線通信モデム機能と台ユニットの機能を内蔵した玉貸出機及びコイン貸出機とを備え、各遊技機の遊技状態に関するデータをホールコンピューターで収集し処理するネットワークシステム。
【手続補正４】
【補正対象書類名】実用新案登録請求の範囲
【補正対象項目名】請求項４
【補正方法】変更
【補正の内容】
【請求項４】
ホールコンピューターと電力線との間に接続された電力線通信モデムと、電力線通信モデムの機能を内蔵した複数の各遊技機と、電力線通信モデム機能と台ユニットの機能を内蔵した玉貸出機及びコイン貸出機とを備え、各遊技機の遊技状態に関するデータをホールコンピューターで収集し処理するネットワークシステム。
【手続補正５】
【補正対象書類名】明細書
【補正対象項目名】０００４
【補正方法】変更
【補正の内容】
【０００４】    遊技データ等を送信するために電力線通信に適したアナログ信号に変調する機能がなく、受信したデータをデジタル信号へ復調する機能しか持たない電力線通信モデムをホールコンピューターに接続する。デジタル信号は電力線の中を伝わることはできないので、この電力線通信モデムを使用すれば、ホールコンピューター側からパチンコ遊技機へデータを送信することができなくなる。
【手続補正６】
【補正対象書類名】図面
【補正対象項目名】図１
【補正方法】変更
【補正の内容】
【図１】
0003141409.tif 000008